(57)【要約】【課題】  縦枠間隔の広狭に対応して仕切桟を縦枠に傾斜固定して仕切体のデザイン統一性を確保する。【解決手段】  ネジ頭を摺接する摺接曲面２１と、この摺接曲面２１に開口してネジ５の上下揺動を許容した傾斜貫通孔２２を有して、上下に対をなすネジ台座２を用いて、このネジ台座２を、対向する縦枠３の外側面に異なる高さにして相互に上下を反転して上下にスライドするように配置し、摺接曲面２にネジ頭を沿わせるようにネジ５を傾斜貫通孔２２から縦枠３の長孔３２を介して仕切桟４のタッピングホール４１に螺入して、縦枠３間に仕切桟４を傾斜固定する。ネジ５の揺動とネジ台座２のスライドによって、仕切桟４の角度に追従することによって、デッキフェンスのように基準の縦枠間隔より狭い残余の縦枠間隔部分にも同じ仕切桟４を傾斜固定することができる。【選択図】  図５
2010229792.tif 000002
【特許請求の範囲】
【請求項１】
上下に曲面をなすネジ頭摺接用の摺接曲面と、該摺接曲面から縦枠側に向けて傾斜貫通して上下に長孔をなすことによってネジの上下揺動を許容した傾斜貫通孔をそれぞれ有し且つ少なくとも一方の背面にスライド突起を配置した上下に対をなすブロック状のネジ台座と、対向する枠基板の異高位置にそれぞれネジの上下揺動を許容する上下に近接して対をなす長孔を透設した左右に対向する縦枠と、該左右に対向する縦枠の上記異高位置において枠基板に対接するように長手方向端部を傾斜切断した仕切桟を備え、上記左右に対向する縦枠の各長孔に上記傾斜貫通孔を合せ又はスライド突起を嵌合して上記上下に対をなすネジ台座を配置し、該ネジ台座の各摺接曲面から縦枠の上記枠基板の長孔を介して該枠基板に長手方向端部を対接した仕切桟にネジを螺入することによって対向する縦枠の異高位置間に該仕切桟を傾斜固定してなることを特徴とする仕切体。
【請求項２】
上記ネジ台座のスライド突起を、その一部を突起長さ短縮用に切欠き除去自在としてなることを特徴とする請求項１に記載の仕切体。
【請求項３】
上記仕切桟を、アルミ押出材とし且つ上記ネジを該仕切桟に配置した各ネジ台座毎に単一のタッピングホールに対して螺入するタッピングネジとしてなることを特徴とする請求項１又は２に記載の仕切体。
【発明の詳細な説明】
【技術分野】
【０００１】
本発明は、左右縦枠間に仕切桟を傾斜配置したフェンス、門扉等として用いられる仕切体に関する。
【背景技術】
【０００２】
この種の仕切桟を傾斜配置したフェンスとして、例えば上下の横枠に対してそれぞれ一対の仕切桟をＸ字状に配置した仕切体を用い、該仕切体を、これとは別の長尺の胴縁間に縦枠を介して直列に配置したものが知られており、この場合、フェンス設置現場において上下胴縁を調整切断した結果、胴縁長さが仕切体幅の倍数以下となった剰余部位については上記仕切体の使用に代えて、異なるデザインとするように縦格子材を所定間隔に配置して、該剰余部位を埋めるようにしたものとされる。
【先行技術文献】
【特許文献】
【０００３】
【特許文献１】特公平６−９６９２１号公報
【発明の概要】
【発明が解決しようとする課題】
【０００４】
デッキに使用するデッキフェンスのように部材供給することによって、施行業者が現場に合せて部材の切断や組立設置を行うものにあっては、上記のように設置現場における寸法による余剰部位が出現することになるが、上記のものは余剰部分に異なるデザインの縦格子材を配置することによって、フェンスとしてのデザインの統一性確保を断念したものとされる。
【０００５】
例えば、縦枠に対して仕切桟を固定して仕切体を構成するとき、上記のように現場に合せることによって左右の幅方向に余剰部分が生じたとき、該余剰部分にあっては縦枠間の間隔が狭まり、幅方向に広狭に異なる間隔が併存することになるところ、該縦枠間の間隔が異なってもその全ての縦枠間に仕切桟を固定し得るようにすれば、仕切体を幅方向に直列に並べてフェンスとしても、そのデザインの統一性を確保することができるが、この場合、仕切桟固定の傾斜角度が異なる結果、例えば、縦枠からのネジを仕切桟に螺入するとネジ頭が部分的に縦枠から離れて、仕切桟の固定強度に影響を及ぼすといった問題点を招く。
【０００６】
本発明は係る事情に鑑みてなされたもので、その解決課題とするところは、縦枠に対する仕切桟の簡易にして確実な固定をなし得るとともに縦枠間隔の広狭に対応して傾斜角度の異なる仕切桟を共通構造によって縦枠に固定することによって、直列配置する場合でも、相互にデザインの統一性を確保し得るようにした仕切体を提供するにある。
【課題を解決するための手段】
【０００７】
上記課題に沿って本発明は、上下に対をなすネジ台座を用いて、該ネジ台座から縦枠の枠基板を介してこれに長手方向端部を対接した仕切桟にネジを螺入することによって縦枠間に仕切桟を傾斜固定するようにするとともに上記ネジ台座を、ネジ頭を摺接する摺接曲面とネジの上下揺動を許容した傾斜貫通孔を備えるとともに上記縦枠の枠基板にネジの上下動を許容する長孔を備えることによって、ネジ台座によるネジ回動と縦枠の長孔による該ネジ回動及びネジ台座の上下方向スライドによって、仕切桟の傾斜角度に追従して、可及的に傾斜角度の異なる仕切桟の固定をなし得るようにしたものであって、即ち、請求項１に記載の発明を、上下に曲面をなすネジ頭摺接用の摺接曲面と、該摺接曲面から縦枠側に向けて傾斜貫通して上下に長孔をなすことによってネジの上下揺動を許容した傾斜貫通孔をそれぞれ有し且つ少なくとも一方の背面にスライド突起を配置した上下に対をなすブロック状のネジ台座と、対向する枠基板の異高位置にそれぞれネジの上下揺動を許容する上下に近接して対をなす長孔を透設した左右に対向する縦枠と、該左右に対向する縦枠の上記異高位置において枠基板に対接するように長手方向端部を傾斜切断した仕切桟を備え、上記左右に対向する縦枠の各長孔に上記傾斜貫通孔を合せ又はスライド突起を嵌合して上記上下に対をなすネジ台座を配置し、該ネジ台座の各摺接曲面から縦枠の上記枠基板の長孔を介して該枠基板に長手方向端部を対接した仕切桟にネジを螺入することによって対向する縦枠の異高位置間に該仕切桟を傾斜固定してなることを特徴とする仕切体としたものである。
【０００８】
請求項２に記載の発明は、上記に加えて、上記ネジ台座の上下方向スライド範囲を拡大して、追従し得る傾斜角度を必要に応じて拡大し得るように、これを、上記ネジ台座のスライド突起を、その一部を突起長さ短縮用に切欠き除去自在としてなることを特徴とする請求項１に記載の仕切体としたものである。
【０００９】
請求項３に記載の発明は、同じく上記に加えて、木目模様や色彩を付することが容易なアルミ押出材を用いて固定強度を可及的高度に確保し得るものとするように、これを、上記仕切桟を、アルミ押出材とし且つ上記ネジを該仕切桟に配置した各ネジ台座毎に単一のタッピングホールに対して螺入するタッピングネジとしてなることを特徴とする請求項１又は２に記載の仕切体としたものである。
【００１０】
本発明はこれらをそれぞれ発明の要旨として上記課題解決の手段としたものである。
【発明の効果】
【００１１】
本発明は以上のとおりに構成したから、請求項１に記載の発明は、上下に対をなすネジ台座を用いて、該ネジ台座から縦枠の枠基板を介してこれに長手方向端部を対接した仕切桟にネジを螺入することによって縦枠間に仕切桟を傾斜固定するようにするとともに上記ネジ台座を、ネジ頭を摺接する摺接曲面とネジの上下揺動を許容した傾斜貫通孔を備えるとともに上記縦枠の枠基板にネジの上下動を許容する長孔を備えることによって、ネジ台座によるネジ回動と縦枠の長孔による該ネジ回動及びネジ台座の上下方向スライドによって、仕切桟の傾斜角度に追従して、可及的に傾斜角度の異なる仕切桟の固定をなし得るようにして、縦枠に対する仕切桟の簡易にして確実な固定をなし得るとともに縦枠間隔の広狭に対応して傾斜角度の異なる仕切桟を共通構造によって縦枠に固定することによって、直列配置する場合でも、相互にデザインの統一性を確保し得るようにした仕切体を提供することができる。
【００１２】
請求項２に記載の発明は、上記に加えて、上記ネジ台座の上下方向スライド範囲を拡大して、追従し得る傾斜角度を必要に応じて拡大したものとすることができる。
【００１３】
請求項３に記載の発明は、同じく上記に加えて、木目模様や色彩を付することが容易なアルミ押出材を用いて固定強度を可及的高度に確保したものとすることができる。
【図面の簡単な説明】
【００１４】
【図１】フェンスの正面図である。
【図２】仕切体の縦枠と仕切桟の関係を示す斜視図である。
【図３】ネジ台座と縦枠上方位置の関係を示す斜視図である。
【図４】ネジ台座と縦枠下方位置の関係を示す斜視図である。
【図５】縦枠上方位置の仕切桟固定状態を示す部分拡大断面図である。
【図６】縦枠下方位置の仕切桟固定状態を示す部分拡大断面図である。
【図７】一方のネジ台座の正面側斜視図である。
【図８】図７のネジ台座の背面側斜視図である。
【図９】図７のネジ台座の縦断面図である。
【図１０】他方のネジ台座の正面側斜視図である。
【図１１】図１０のネジ台座の背面側斜視図である。
【図１２】図１０のネジ台座の縦断面図である。
【図１３】仕切桟の縦断面図である。
【発明を実施するための形態】
【００１５】
以下図面の例に従って本発明を更に具体的に説明すれば、Ａは仕切体、Ｂは該仕切体Ａを用いて形成したフェンスであり、上記仕切体Ａは、ブロック状のネジ台座２ａ、２ｂと、左右に対向する縦枠３と、仕切桟４とを備え、ネジ台座２ａ、２ｂによって、対向する縦枠３の異高位置間に該仕切桟４を傾斜固定したものとしてある。
【００１６】
本例にあってフェンスＢは、例えば、デッキ床の端部に設置するように、上記仕切桟４を含めてアルミ押出材とし、該アルミ押出材を木目模様の樹脂シートによって被覆して木目調を呈するアルミ製のデッキフェンスとしてあり、図示したものは、同一高さにして広狭異幅とした２枚の仕切体Ａを、支柱１を挟んで直列に配置し、上端に胴縁１１を配置したものとしてあり、例えば、その高さを１ｍ、広幅側の幅を１．２ｍ、狭幅側の幅を０．６ｍとしてある。このとき仕切体Ａは、フェンスＢの下方を１０ｃｍ開放するように０．９ｍ程度の高さ、支柱１の数ｃｍ幅を除いた１．１ｍ程度の幅を有するものとし、各仕切体Ａには、その幅方向両端に位置する縦枠３間にそれぞれ単一の仕切桟４を異角度、即ち広幅側を３５°程度、狭幅側を５０°程度に傾斜固定したものとしてある。
【００１７】
このとき、ネジ台座は、上下に曲面をなすネジ頭摺接用の摺接曲面２１と、該摺接曲面２１から縦枠３側に向けて傾斜貫通して上下に長孔をなすことによってネジの上下揺動を許容した傾斜貫通孔２２をそれぞれ有し且つ少なくとも一方の背面にスライド突起２３を配置した上下に対をなすものとしてあり、対向する縦枠３は、その対向する枠基板３１の異高位置にそれぞれネジ５の上下揺動を許容する上下に近接して対をなす長孔３２を透設したものとしてあり、仕切桟４は、対向する縦枠３の上記異高位置において枠基板３１に対接するように長手方向端部を傾斜切断したものとしてあり、上記仕切桟４の傾斜固定は、上記左右に対向する縦枠３の各長孔３２に上記傾斜貫通孔２２を合せ又はスライド突起２３を嵌合して上記上下に対をなすネジ台座２ａ、２ｂを配置し、該ネジ台座２ａ、２ｂの各摺接曲面２１から縦枠３の上記枠基板３１の長孔３２を介して、該枠基板３１に長手方向端部を対接した仕切桟４にネジ５を螺入することによって、これを行ってある。
【００１８】
本例の上下に対をなすネジ台座２ａ、２ｂは、合成樹脂、例えばＡＳＡ樹脂を射出成形した上記ブロック状にして長さと形状を異にすることによって長寸のネジ台座２ａと短寸のネジ台座２ｂによる長短２種の成形部品としてあり、該ネジ台座２ａ、２ｂは、その双方に所定半径で膨出するように配置した上記摺接曲面２１と所定角度で背面から該摺接曲面２１の面内に上向きに開口した傾斜貫通孔２２を備える一方、本例にあって上記長寸側のネジ台座２ａの背面に上記スライド突起２３を配置したものとしてある。
【００１９】
長寸のネジ台座２ａは、例えば、高さを２．５ｃｍ、幅を１ｃｍ、摺接曲面２１の径を１ｃｍ、傾斜貫通孔２２の横幅をネジ径に合せた４．５ｍｍ、上下（高さ）幅を６ｍｍ、傾斜角度を４５°としてあり、また、短寸のネジ台座２ｂは、例えば、高さを１．５ｃｍ、幅を同じく１ｃｍ、摺接曲面２１の径を同じく１ｃｍ、傾斜貫通孔２２の横幅を同じく４．５ｍｍ、上下（高さ）幅を６ｍｍ、傾斜角度を５０°とし、それぞれ背面を垂直面とした小ブロックとしてある。
【００２０】
長寸のネジ台座２ａには、更にその背面の垂直面に上記スライド突起２３を配置してあり、本例にあって該スライド突起２３は、背面の垂直面に下向きに開口した傾斜貫通孔２２の下端に上端リブを接するように配置した突出リブによって囲繞形成した、横幅を傾斜貫通孔２２と同等又は僅かに短く、高さを１ｃｍ、突出幅を２ｍｍとした矩形乃至その下端を円弧部位とした形状のものとしてあり、このとき本例の該スライド突起２３は、これを、その一部を突起長さ短縮用に切欠き除去自在としたものとしてあり、該切欠き除去のために、スライド突起２３はそのリブの上下中間位置、例えば下端から数ｍｍの位置に該リブを凹陥した切断線２４を配置して、現場でカッター等の工具によって該切断線２４から下位の上記円弧部位のリブを除去し得るようにしてある。
【００２１】
一方、縦枠３は、平板状の枠基板３１と、該枠基板３１の幅方向両端及び中間位置に、両端において突出幅を小、中間位置において大とした各２条の突条を配置して、その枠基板３１を、上記支柱１の側面に配置した受溝に受入れるように、該支柱１にスライド嵌合するものとしてある。このとき該縦枠３は、対向する枠基板３１で異高位置とするように、一方の枠基板３１において長手方向上方に、他方の枠基板３２において長手方向下方に、それぞれ上記仕切桟４の固定のための上下に近接して対をなす長孔３２と、支柱１への固定のための丸孔による複数のネジ孔を透設してあり、このとき上記長孔３２は、上記上下に対をなすネジ台座２ａ、２ｂを上下に重ねるように配置したとき、その垂直面側の傾斜貫通孔２２位置に合せて、幅を同等とし、長さを、長寸のネジ台座２ａにおいて長く、例えば２ｃｍ程度、短寸のネジ台座２ｂにおいて短く、例えば１ｃｍ程度としたものとし、対向する縦枠３の枠基板３１間で長短の長孔３２を上下に反転するように配置したものとしてある。
【００２２】
また、仕切桟４は、例えば、前後面にデザイン要素として幅方向中央位置に太溝を配置した異形断面にして、中空部の幅方向中央位置上下に一対のタッピングホール４１を配置したものとしてあり、該仕切桟４は、その長手方向両端を、予め、傾斜角度に対して垂直をなすように上記傾斜切断してあり、これによって、後述の縦枠３に固定したとき、該両端が垂直の縦枠３の枠基板３１に対して面接するように隙間なく対接するようにしてある。
【００２３】
縦枠３に対する仕切桟４の傾斜固定は、上記上下に対をなすネジ台座２ａ、２ｂを、長寸と短寸の位置を対向する縦枠３間で上下に反転して配置するように上下に重ねて、該縦枠３の外側面の上記長孔３２位置に垂直面を対面配置し、ネジ台座２ａ、２ｂの各傾斜貫通孔２２と枠基板３１の長孔３２とを対応させ、長寸のネジ台座２ａにあっては、必要に応じて上記切欠き除去を施して、そのスライド突起２３を対応する長孔３２に嵌合して、ネジ台座２ａ、２ｂの上記摺接曲面２１、例えば図３においてはネジ台座２ａ、２ｂにおける上位側、図４においては下位側に位置する摺接曲面２１に開口した傾斜貫通孔２２からネジ５、特に各ネジ台座２ａ、２ｂ毎に単一のタッピングネジを挿入し、該タッピングネジを、縦枠３の各長孔３２を介して、上記仕切桟４の中空部に配置した上記タッピングホール４１に対して螺入することによって、これを行なったものとしてある。
【００２４】
このように仕切桟４を縦枠３に固定するについて、ネジ台座２ａ、２ｂの傾斜貫通孔２２は、例えばネジ径に合せた４．５ｍｍの横幅に対して６ｍｍと、１．５ｍｍ程度と上下幅を大きくしたから、該摺接曲面２１にネジ頭を摺接した状態で、仕切桟４を固定するネジ５は、上下に揺動することができ、従ってその揺動範囲において仕切桟４の傾斜角度に追従して、該仕切桟４に対する螺入とこれによるネジ５による固定を行なうことができる。また、本例にあっては長寸のネジ台座２ａのスライド突起２３を部分的に除去して、該スライド突起２３を短縮すれば、縦枠３の長孔３２と傾斜貫通孔２２は、ネジ径寸法の重なり状態で、上下に対をなすネジ台座２ａ、２ｂを、該除去の短縮寸法に応じて上下にスライド移動することができるから、上記ネジ５の揺動と該スライド移動によって、仕切桟４固定の対応傾斜角度の範囲を拡大することができ、従って、基準の仕切体Ａの縦枠間隔に応じて仕切桟４を傾斜固定するとともに、基準の仕切体Ａより狭い剰余の縦枠間隔が生じたときでも、同一の仕切桟４とネジ台座２ａ、２ｂを用いて同様に傾斜固定することができ、縦枠３間隔の広狭に拘らず仕切桟４を共通に傾斜固定したデザインの仕切体Ａを形成することができ、これを直列に配置したフェンスＢにあっても、そのデザインを統一したものとすることができる。
【００２５】
図中１２は仕切体Ａの下桟である。
【００２６】
図示した例は以上のとおりとしたが、複数の仕切桟を上下に並列するように傾斜固定すること、縦枠を幅広とし又は仕切桟の交差位置を相互に切欠くことによって、仕切桟を縦枠間にＸ字状、格子状等のデザインをなすように傾斜固定すること、仕切体を単体のフェンス乃至門扉等として使用すること、上下に対をなす双方のネジ台座にスライド突起を配置し、これを縦枠の長孔に同様にスライド嵌合し、また、そのとき双方のスライド突起の部分的な切欠き除去を自在とすること等を含めて、本発明の実施に当って、ネジ台座、摺接曲面、傾斜貫通孔、スライド突起、縦枠、長孔、仕切桟、ネジ、必要に応じて用いるスライド突起等の各具体的形状、構造、材質、寸法、これらの関係、これらに対する付加等は、上記発明の要旨に反しない限り様々な形態のものとすることができる。
【符号の説明】
【００２７】
Ａ  仕切体
Ｂ  フェンス
１  支柱
１１  胴縁
１２  下桟
２ａ  ネジ台座
２ｂ  ネジ台座
２１  摺接曲面
２２  傾斜貫通孔
２３  スライド突起
２４  切断線
３  縦枠
３１  枠基板
３２  長孔
４  仕切桟
４１  タッピングホール
５  ネジ
【図１】
2010229792.tif 000003
【図２】
2010229792.tif 000004
【図３】
2010229792.tif 000005
【図４】
2010229792.tif 000006
【図５】
2010229792.tif 000007
【図６】
2010229792.tif 000008
【図７】
2010229792.tif 000009
【図８】
2010229792.tif 000010
【図９】
2010229792.tif 000011
【図１０】
2010229792.tif 000012
【図１１】
2010229792.tif 000013
【図１２】
2010229792.tif 000014
【図１３】
2010229792.tif 000015